(57)【特許請求の範囲】
【請求項１】
鉄筋コンクリート壁付き柱用の柱型枠体であって、
側面に長手方向に延在するスリットを有する筒状の柱型枠と、
上記柱型枠における上記スリットの両側縁から外方向に延在すると共に、壁型枠体の一端が接合される壁型枠接合部と、
上記２つの壁型枠接合部の間を壁厚に相当する間隔に保持するセパレータと、  上記筒状の柱型枠の外周面に沿って水平方向に配設されると共に、連結部材によって鎖状に連結された柱クランプと、
上記鎖状に連結されて成る柱クランプ連鎖における両端の柱クランプを上記壁型枠接合部を介して上記セパレータの両端に接続すると共に、上記柱型枠体を締結固定する接続部材
を備えて、
上記柱クランプ連鎖における両端の柱クランプは、
当該柱クランプの軸方向に延在して設けられると共に、上記連結部材が上記軸方向にスライド可能に挿通される貫通溝と、
上記セパレータとの接続側とは反対側の先端部に設けられると共に、上記軸方向にスライドして上記連結されている相手の柱クランプを押し付けるスライド締結具
を有している
ことを特徴とする柱型枠体。
【請求項２】
請求項１に記載の柱型枠体において、
上記柱型枠は四角筒を成しており、
上記柱クランプ連鎖における両端以外の各柱クランプを鎖状に連結する連結部材は、各柱クランプを連結点が軸方向にスライド自在に連結すると共に、
上記柱クランプ連鎖における両端以外の各柱クランプの端部に設けられると共に、上記軸方向にスライドして上記連結されている相手の柱クランプを押し付けることによって上記柱型枠を緊結するスライド緊結具を備えたことを特徴とする柱型枠体。
【請求項３】
請求項１あるいは請求項２に記載の柱型枠体において、
上記柱型枠のスリットは、上記側面に複数設けられていることを特徴とする柱型枠体。
【請求項４】
請求項１あるいは請求項２に記載の柱型枠体において、
上記柱型枠の側面に設けられたスリットは２種類の異なる幅を有しており、
上記壁型枠接合部は、上記スリットにおける２種類の異なる幅のうち狭い方の幅の箇所に設けられると共に、
上記スリットにおける広い方の幅の箇所の両側縁から外方向に延在して梁型枠体の一端が接合される梁型枠接合部を備えたことを特徴とする柱型枠体。
【発明の詳細な説明】
【０００１】
【産業上の利用分野】
この発明は、ＲＣ(鉄筋コンクリート)壁付き柱を構築する際に使用する柱型枠体に関する。
【０００２】
【従来の技術】
従来、柱の側面に壁の一端が接続されたＲＣ壁付き柱を構築するための柱型枠体として図７に断面図を示すようなものがある。
この柱型枠体は以下のようにして設置される
【０００３】
すなわち、打設される柱のコンクリートの四方に直接接してコンクリートの荷重を受ける４枚のせき板１を柱位置に建て込み、各対向する２枚のせき板１,１間をセパレータ２,２,…によって所定の間隔に保持する。そして、せき板１の桟木３,３,…の周囲を４本の腹起こし４,４,…で水平方向に囲い、上記セパレータ２,２,…とフォームタイ(株式会社岡部の登録商標)５,５,…とで締め付けて固定している。
【０００４】
一般に、型枠の必要条件の一つとして、コンクリート打設時の荷重や振動に耐え、変形しないことが挙げられる。そこで、上記せき板１,桟木３および腹起こし４を締め付けるセパレータ２,２,…は均等に設置されるのが望ましい。その結果、セパレータ２,２,…は、せき板１,１,…によって囲われた空間に配設されている柱主筋６とその周囲に巻き付けられた柱フープ筋７,７,…との間を水平方向に貫通して配設されることになる。
【０００５】
尚、上記柱型枠体においては、立設されたせき板１,桟木３および腹起こし４によって形成された四角筒の一面に長手方向にスリットを設けている。そして、このスリットの両側縁から外側に向けて直角に壁用のせき板８,壁用の桟木９および壁用の腹起こし１０が形成される。
【０００６】
また、ＲＣ柱単体を構築するための柱型枠体として図８に示すようなものがある。
この柱柱型枠体は、柱位置に建て込まれた４枚のせき板１１の桟木１２,１２,…の外周を柱クランプ１３,１３,…でロ字状に囲って、柱クランプ１３,１３,…の四隅をネジ１４,１４,…で締め付けて固定している。
【０００７】
【発明が解決しようとする課題】
しかしながら、上記従来の柱型枠体には以下のような問題がある。
すなわち、図７に示すＲＣ壁付き柱用の柱型枠体においては、４枚のせき板１,１…によって形成された空間内にはセパレータ２,２,…が挿通されている。したがって、予め、柱位置に柱主筋６及び柱フープ筋７を組み立てた後に、筒状に先組みされた柱型枠体を上方から降ろして柱型枠体内に柱鉄筋を挿嵌しようとすると、セパレータ２,２,…が邪魔になって作業が困難を極める。したがって、柱鉄筋および壁鉄筋の組み立てと柱型枠体の組み立てとを平行に実行して工期の短縮を図ることができないという問題がある。
【０００８】
さらに、立設されたせき板１,１,…内に多数のセパレータ２,２,…を組み込む際には、柱主筋６や柱フープ筋７の間を縫って挿入する必要があり、セパレータ２の取り付けに熟練技術を要するという問題もある。
【０００９】
また、図８に示すＲＣ柱単体用の柱型枠体においては、柱型枠体内にセパレータが無いために先組みした柱型枠体内に柱主筋や柱フープ筋を容易に挿通でき、柱鉄筋の組み立てと柱型枠体の組み立てを平行に実行できるという利点がある。
【００１０】
ところで、ＲＣ壁付き柱用の柱型枠体は柱に連設して壁が形成可能なように作成する必要があり、上記ＲＣ柱単体用の柱型枠体をそのままＲＣ壁付き柱用の柱型枠体としては使用できない。そこで、上記壁型枠体に貫通部を設けて、上記壁型枠体専用の支保工を取り付け/取り外し可能なようにしている。そして、上記専用の支保工を撤去した後に、上記壁型枠体専用の支保工の撤去によって壁にできた貫通孔にモルタルやコンクリートを充填する必要がある。
したがって、上記ＲＣ柱単体用の柱型枠体をＲＣ壁付き柱用の柱型枠体に転用した場合には上記壁型枠体に貫通部を設けたり壁の貫通孔を埋め戻したりする必要があり、作業が繁雑で手間が掛かるという問題がある。
【００１１】
そこで、この発明の目的は、ＲＣ壁付き柱を構築するに際して柱型枠体の先組みを可能にし、且つ、組み立て解体が容易なＲＣ壁付き柱用の柱型枠体を提供することにある。
【００１２】
【課題を解決するための手段】
上記目的を達成するため、請求項１に係る発明は、ＲＣ壁付き柱用の柱型枠体であって、側面に長手方向に延在するスリットを有する筒状の柱型枠と、上記柱型枠における上記スリットの両側縁から外方向に延在すると共に,壁型枠体の一端が接合される壁型枠接合部と、上記２つの壁型枠接合部の間を壁厚に相当する間隔に保持するセパレータと、上記筒状の柱型枠の外周面に沿って水平方向に配設されると共に,連結部材によって鎖状に連結された柱クランプと、上記鎖状に連結されて成る柱クランプ連鎖における両端の柱クランプを上記壁型枠接合部を介して上記セパレータの両端に接続すると共に,上記柱型枠体を緊結固定する接続部材を備えて、上記柱クランプ連鎖における両端の柱クランプは、当該柱クランプの軸方向に延在して設けられると共に,上記連結部材が上記軸方向にスライド可能に挿通される貫通溝と、上記セパレータとの接続側とは反対側の先端部に設けられると共に,上記軸方向にスライドして上記連結されている相手の柱クランプを押し付けるスライド締結具を有していることを特徴としている。
【００１３】
また、請求項２に係る発明は、請求項１に係る発明の柱型枠体において、上記柱型枠は四角筒を成しており、上記柱クランプ連鎖における両端以外の各柱クランプを鎖状に連結する連結部材は,各柱クランプを連結点が軸方向にスライド自在に連結すると共に、上記柱クランプ連鎖における両端以外の各柱クランプの端部に設けられると共に,上記軸方向にスライドして上記連結されている相手の柱クランプを押し付けることによって上記柱型枠を緊結するスライド緊結具を備えたことを特徴としている。
【００１４】
また、請求項３に係る発明は、請求項１あるいは請求項２に係る発明の柱型枠体において、上記柱型枠のスリットは、上記側面に複数設けられていることを特徴としている。
【００１５】
また、請求項４に係る発明は、請求項１あるいは請求項２に係る発明の柱型枠体において、上記柱型枠の側面に設けられたスリットは２種類の異なる幅を有しており、上記壁型枠接合部は,上記スリットにおける２種類の異なる幅のうち狭い方の幅の箇所に設けられると共に、上記スリットにおける広い方の幅の箇所の両側縁から外方向に延在して梁型枠体の一端が接合される梁型枠接合部を備えたことを特徴としている。
【００１６】
【作用】
請求項１に係る発明では、側面に長手方向に延在するスリットを有する筒状体を形成するように柱型枠体が立設される。さらに、上記柱型枠における上記スリットの両側縁から外方向に延在して、壁型枠体の一端が接合される壁型枠接合部が立設される。そして、上記立設された２つの壁型枠接合部の間がセパレータによって壁厚に相当する間隔に保持される。次に、上記筒状の柱型枠の外周面に沿って水平方向に柱クランプが配設されて、連結部材によって鎖状に連結される。そして、上記柱クランプ連鎖における両端の柱クランプが、上記壁型枠接合部を介して接続部材によって上記セパレータの両端に接続される。その結果、上記柱型枠が、上記柱クランプによって、目的とする柱断面の寸法に適合するように締結固定される。
こうして、上記筒状体を成す柱型枠をセパレータによって内側から所定間隔に保持することなく、柱クランプによって外周から所定の寸法に固定される。
【００１７】
さらに、上記柱クランプ連鎖における両端の柱クランプにおける上記連結部材からの長さが、上記スライド締結具で連結相手の柱クランプを押し付けて、連結部材を貫通溝に沿って軸方向にスライドさせることによって変更される。
【００１８】
その結果、先組みされた柱型枠体の内部にはセパレータのような邪魔物が一切なく、柱位置に立設された柱鉄筋を容易に挿通できる。
【００１９】
また、請求項２に係る発明では、四角筒を成す柱型枠の外周に上記四角筒の各面に沿って柱クランプが配設され、連結部材によって、鎖状に且つ各連結点が軸方向にスライド自在に各柱クランプが連結される。そして、上記各柱クランプの端部に設けられたスライド緊結具が上記軸方向にスライドされて上記連結されている相手の柱クランプが押し付けられ、上記柱型枠が緊結される。
こうして、上記四角筒を成す柱型枠をセパレータによって内側から所定間隔に保持することなく、柱クランプによって外周から所定の寸法に固定される。
【００２０】
また、請求項３に係る発明では、上記柱型枠の側面に複数設けられたスリットにおける両側縁に壁型枠接合部が立設される。こうして複数の壁型枠接合部が形成されたＲＣ壁付き柱用の柱型枠が、セパレータと柱クランプと接続部材によって外側から固定される。
【００２１】
また、請求項４に係る発明では、上記柱型枠の側面に設けられたスリットにおける２種類の異なる幅のうち狭い方の幅の両側縁に、上記壁型枠接合部が立設される。さらに、上記スリットにおける広い方の幅の両側縁には、外方向に延在して、梁型枠体の一端が接合される梁型枠接合部が設置される。そして、上記壁型枠接合部および梁型枠接合部が形成されたＲＣ壁付き柱用の柱型枠が、セパレータと柱クランプと接続部材によって外側から固定される。
【００２２】
【実施例】
以下、この発明を図示の実施例により詳細に説明する。
図１は本実施例の柱型枠体の横断面図であり、図２は側面図であり、図３は正面図である。以下、図１〜図３に従って本実施例における柱型枠体２０について説明する。
【００２３】
図１〜図３において、２１は柱の３方の側面を型取る第１柱型枠であり、２２は柱の残りの側面を型取る第２柱型枠である。３枚の第１柱型枠２１が四角筒の３面を成して立設され、上記四角筒の他の１面には２枚の第２柱型枠２２,２２が壁の厚みに相当する所定の間隔を空けて並んで立設される。そして、この２枚の第２柱型枠２２,２２の夫々における対向する側縁にはＬ字断面を有する壁型枠接合部２３の一面の側縁が当接されて、２つの壁型枠接合部２３,２３が上記一面を対向させて立設される。
尚、上記立設している２枚の壁型枠体接合部２３,２３には壁型枠体が接合される。
【００２４】
本実施例における柱型枠は四角筒を成しているが、この発明はこれに限定されるものではなく、断面形状が円や多角形の筒状体であっても構わない。また、壁型枠接合部２３は、Ｌ字断面の形状に限定されるものではなく、単なる板状であっても構わない。
【００２５】
上記第１柱型枠２１および第２柱型枠２２は、夫々の桟部材２４を介して第１柱クランプ２５,第２柱クランプ２６および第３柱クランプ２７の３種類の柱クランプによって、周囲から位置決め緊結される。
【００２６】
上記第１柱クランプ２５は、その一端部２５aにはネジによって軸方向にスライドするスライド緊結具２８を有する一方、他端部２５bには第３柱クランプ２７が挿通される挿通孔を有している。
上記第２柱クランプ２６は、その両端部２６a,２６bには第１柱クランプ２５が挿通される挿通孔を有すると共に、ネジによって軸方向にスライドして上記挿通孔に挿通された第１柱クランプ２５を押し付けるスライド緊結具２９,２９を有する。
上記第３柱クランプ２７はＴ字形を成し、その先端部２７bにはネジによって軸方向にスライドするスライド緊結具３０を有する。また、頭部２７aは壁型枠接合部２３の上記一面に当接する。
【００２７】
上記第１柱型枠２１,第２柱型枠２２,第１柱クランプ２５,第２柱クランプ２６および第３柱クランプ２７によって概略構成される柱型枠体２０は、次のように先組みされる。
すなわち、先ず、１枚の第１柱型枠２１を立設し、この第１柱型枠２１の両側縁の夫々に他の第１柱型枠２１の一側部の内面を当接させて互いの角度が直角を成すように立設する。こうして、四角筒の３面を形成する。そして、対向して立設されている２枚の第１柱型枠２１,２１の他側縁の夫々に、第２柱型枠２２の側部の内面を当接させて上記所定の間隔を空けて立設して、上記四角筒を形成するのである。
【００２８】
次に、立設された上記２枚の第２柱型枠２２,２２夫々の対向する側縁に、壁型枠接合部２３をその上記一面の側縁を当接させて立設し、第２柱型枠２２,２２と壁型枠接合部２３とを結合固定する。その際に、２枚の壁型枠接合部２３,２３における上記一面同士を対向させて、２本のセパレータ３６,３６によって上記所定の間隔に保持しておく。
尚、上記セパレータ３６は１本でもよい。しかしながら、本実施例のごとく平行して２本設けることによって、コンクリート打設時に、コンクリート側圧によって第２柱型枠２２,２２が外側への孕むのを確実に防止できるのである。その際に、２本のセパレータ３６,３６の配列方向は垂直方向であっても何ら差し支えない。
【００２９】
次に、上記壁型枠接合部２３,２３の夫々における上記一面に第３柱クランプ２７の頭部２７aを外側から当接させて、上記接続部材としてのフォームタイによって、壁型枠接合部２３を介してセパレータ３６と接続する。こうして、第３柱クランプ２７,２７を第２柱型枠２２,２２に沿って水平方向に配設する。そして、２本の第１柱クランプ２５,２５の夫々における上記他端部２５bの挿通孔に第３柱クランプ２７の先端部２７bを挿通し、両柱クランプ２５,２７をピン３１で連結する。
尚、上記フォームタイによって第３柱クランプ２７の頭部２７aが接続されるセパレータ３６は、平行に配設された２本のセパレータ３６,３６のうち少なくとも一方の側でよい。
【００３０】
さらに、上記第２柱クランプ２６を第１柱型枠２１の桟部材２４に沿って水平に配設し、この第２柱クランプ２６の両端部２６a,２６bの夫々に設けられた貫通孔に第１柱クランプ２５における上記一端部２５aを挿通し、両柱クランプ２５,２６をピン３２で連結する。
【００３１】
その際に、上記ピン３１は、第３柱クランプ２７に軸方向に設けられた溝３３内をスライド可能になっている。同様に、ピン３２は、第１,第２柱クランプ２５,２６に軸方向に設けられた溝３４,３５内をスライド可能になっている。
そして、上記第２柱クランプ２６に設けられているスライド緊結具２９,２９は、軸方向にスライドして第１柱クランプ２５,２５を軸方向に押し付ける。また、第１柱クランプ２５,２５に設けられているスライド緊結具２８,２８は、軸方向にスライドしてピン３２,３２を介して第２柱クランプ２６を軸方向に押し付ける。同様に、第３柱クランプ２７,２７に設けられているスライド緊結具３０,３０はピン３１,３１を介して第１柱クランプ２５,２５を軸方向に押し付ける。
したがって、上記各スライド緊結具２８,２９,３０を操作することによって第１,第２柱クランプ２５,２６が内側に押し付けられて、各柱型枠２１,２２が緊結されるのである。
【００３２】
その際に、上述のように、上記２枚の第２柱型枠２２,２２の夫々における外側の側部の内壁が隣接する第１柱型枠２１の上記他側縁に当接し、対向している２枚の第１柱型枠２１,２１の夫々における上記一側部の内壁が隣接する第１柱型枠２１の側縁に当接している。したがって、第２柱型枠２２によって隣接する第１柱型枠２１が固定され、更にこの第１柱型枠２１によって隣接する他の第１柱型枠２１が固定される。
すなわち、本実施例においては、第７図に示す従来の柱型枠体のように、内部からセパレータによって各柱型枠を所定の間隔に保持することなく、各柱クランプ２５,２６,２７のみによって外側からクレーン等に吊り上げ可能なように強固に柱型枠２１,２２が緊結されるのである。
【００３３】
こうして、図２および図３に示すように、上記柱型枠２１,２２によって形成される四角筒の延在方向における数箇所を上述のように第１,第２,第３柱クランプ２５,２６,２７で位置決め固定して柱型枠体２０が先組みされる。
【００３４】
尚、図３に示すように、上記柱型枠体２０の上部における第２柱型枠２２の延長上には第３柱型枠３７,３７および梁型枠接合部３８,３８が設けられている。この第３柱型枠３７および梁型枠接合部３８は、梁型枠体(図示せず)との接合を可能にする柱型枠および接合部であり、基本的には壁型枠体との接合を行う第２柱型枠２２および壁型枠接合部２３と同じ構造を有する。但し、立設された２枚の第３柱型枠３７,３７間および梁型枠接合部３８,３８間の間隔は梁の幅に応じた間隔になるように設定される。
【００３５】
上述のようにして先組みされた柱型枠体２０は、図４および図５に示すような手順によって建て込まれる。
先ず、図４(a)に示すように、先組みされた柱鉄筋４１が吊り上げられ、その柱主筋の下端部が立上り部４２の柱主筋にカップラー等によって接合されて接合部にフープ筋が巻き付けられる。こうして、柱主筋４１が柱位置に立設される。  次に、図４(b)に示すように、先組みされた柱型枠体２０が吊り上げられ、柱鉄筋４１が柱型枠体２０の内部に挿通されるように建て込まれる。
その際に、上述のように先組みされた柱型枠体２０の内部にはセパレータが存在しないので、柱型枠体２０の建て入れ作業は非常に容易なのである。
【００３６】
次に、図５(c)に示すように、別に先組みされた壁型枠４３が吊り込まれてレベル調整が行われ、柱型枠体２０の一方の壁型枠接合部２３と壁型枠４３の柱型枠接合部(図示せず)とが接合/固定される。
次に、図５(d)に示すように、別に先組みされた壁メッシュ筋４４が壁型枠４３の内側に吊り込まれて固定される。
次に、図５(e)に示すように、別に先組みされた壁返し型枠４５が吊り込まれてレベル調整が行われ、柱型枠体２０の他方の壁型枠接合部２３と壁返し型枠４５の柱型枠接合部(図示せず)とが接合固定される。
【００３７】
こうして、別々に先組みされた柱鉄筋４１と柱型枠体２０と壁型枠４３と壁メッシュ筋４４と壁返し型枠４５とが一体に建て込まれるのである。
【００３８】
上述のように、本実施例におけるＲＣ壁付き柱用の柱型枠体２０は、四角筒を形成する柱型枠２１,２２の外周を柱クランプ２５,２６,２７で囲い、個々の柱クランプ２５,２６,２７のスライド緊結具２８,２９,３０によって外側から支保するように構成している。そのために、柱型枠内にこの柱型枠を所定間隔に保持するためのセパレータを設ける必要がなく、先組みされた柱型枠体２０内に先組みされた柱鉄筋４１を容易に挿通できる。
したがって、本実施例によれば、ＲＣ壁付き柱用の柱型枠体２０の組立を柱鉄筋４１の組立に並行あるいは先行でき、柱型枠体２０および壁型枠体の施工工期を短縮できる。さらに、上述のように、取り付けが困難なセパレータを必要となしないので、柱型枠体２０の組立が非常に容易である。
【００３９】
また、上記四角筒の一面は２枚の第２柱型枠２２,２２でスリットを設けて構成される。そして、この第２柱型枠２２,２２の対向する側縁の位置には、壁型枠体が接合される壁型枠接合部２３,２３を立設させて、セパレータ３６,３６の少なくとも一方と第３柱クランプ２７の頭部２７aとをフォームタイで接続固定している。したがって、壁型枠体は特別の支保工を用いることなく柱型枠体２０に壁型枠接合部２３を介して取り付けることができるのである。
つまり、本実施例によれば、上記壁型枠体に支保工取り付け用の貫通孔を設けたり、コンクリート打設後に壁の貫通孔に充填材を充填したりする必要がなく、ＲＣ壁の施工が容易になる。
【００４０】
さらに、上記セパレータ３６によって所定間隔に保持される２枚の壁型枠接合部２３,２３の夫々には、壁型枠４３と壁返し型枠４５とが取り付けられる。したがって、セパレータ３６は柱型枠体２０の支保工としての機能に加えて壁型枠体の支保工としての機能をも有する。
さらに、上記柱型枠体２０の一面には壁型枠体の内部に連通するスリットが設けられ、このスリットは細いセパレータ３６が存在しているだけである。したがって、先組みした壁メッシュ筋４４の一端部は上記スリットを通過して柱鉄筋４１内に挿入できる。
さらに、上記柱型枠体２０のスリットを形成する両側縁には外方向に突出して壁型枠接合部２３,２３を立設し、この壁型枠接合部２３,２３に壁型枠体を接合するようにしている。したがって、壁型枠４３および壁返し型枠４５の位置決めおよび取り付けが容易である。
【００４１】
上記実施例における柱型枠体は、柱の一面に壁の一端が接続されたＲＣ壁付き柱用の柱型枠体である。しかしながら、この柱型枠体は、図１における第３柱クランプ２７の数を増やすことによって、柱の複数面の夫々に異なる壁の一端が接続されたＲＣ壁付き柱用の柱型枠体を構成することも可能である。
図６は、相対向する２面の夫々に壁の一端が接続されたＲＣ壁付き柱用の柱型枠体である。
【００４２】
第１柱型枠５１,第２柱型枠５２,壁型枠接合部５３,第２柱クランプ５６は、図１における柱型枠体の第１柱型枠２１,第２柱型枠２２,壁型枠接合部２３および第３柱クランプ２７と全く同じ構造である。
第１柱クランプ５５は、その両端部５５a,５５bには第２柱クランプ５６が挿通される挿通孔を有すると共に、一端部５５aにはネジによって軸方向にスライドして上記挿通孔に挿通された第２柱クランプ５６を押し付けるスライド緊結具５７を有する。
【００４３】
上記第１柱型枠５１,第２柱型枠５２,第１柱クランプ５５および第２柱クランプ５６によって概略構成される柱型枠体５０は、次のように先組みされる。
すなわち、先ず、２枚の第１柱型枠５１を対向させて立設する。そして、一方の第１柱型枠５１の両側縁の夫々に、第２柱型枠５２の側部の内面を当接させて互いの角度が直角を成すように立設する。同様に、他方の第１柱型枠５２の両側にも第２柱型枠５２を立設する。そして、並設している２枚の第２柱型枠５２の互いに対向している両側縁の間隔を上記所定の間隔にする。こうして、対向する２つの面にスリットを有する四角筒を形成するのである。
【００４４】
次に、並設された上記２枚の第２柱型枠５２,５２夫々の対向する側縁に、壁型枠接合部５３をその一面の側縁を当接させて立設する。その際に、２枚の壁型枠接合部５３,５３における上記一面同士を対向させて、２本のセパレータ６４,６４によって上記所定の間隔に保持しておく。
【００４５】
次に、上記壁型枠接合部５３,５３の夫々における上記一面に第２柱クランプ５６の頭部５６aを外側から当接させて、この頭部５６aと壁型枠接合部５３とをセパレータ６４と上記接続部材としてのフォームタイとで結合する。こうして、４本の第２柱クランプ５６を第２柱型枠５２に沿って水平方向に配設する。そして、平行に配設されている２本の第２柱クランプ５６,５６のうちの一方の上記先端部５６bを第１柱クランプ５５における上記一端部５５aの挿通孔に挿通し、両柱クランプ５５,５６をピン５９で連結する。さらに、他方の上記先端部５６bを当該第１柱クランプ５５の上記他端部５５bの挿通孔に挿通し、両柱クランプ５５,５６をピン６０で連結する。同様に、他の平行に配設されている２本の第２柱クランプ５６,５６を他の第１柱クランプ５５の両端にピン５９,６０で連結する。
こうして、２本のスリットを有する四角筒状の柱型枠の周囲が桟部材５４を介して第１,第２柱クランプ５５,５６によって囲まれる。
【００４６】
その際に、上記ピン５９は、第１,第２柱クランプ５５,５６に軸方向に設けられた溝６１,６２内をスライド可能になっている。同様に、ピン６０は、第２柱クランプ５６に軸方向に設けられた溝６２内をスライド可能になっている。
そして、上記第１柱クランプ５５に設けられているスライド緊結具５７は、軸方向にスライドして第２柱クランプ５６を軸方向に押し付ける。また、第２柱クランプ５７に設けられているスライド緊結具５８は、軸方向にスライドしてピン５９,６０を介して第１柱クランプ５５を軸方向に押し付ける。
したがって、上記各スライド緊結具５７,５８を操作することによって第１,第２柱クランプ５５,５６が内側に押し付けられて、各柱型枠５１,５２が緊結されるのである。
【００４７】
その際に、上述のように、上記４枚の第２柱型枠５２夫々における外側の側部の内壁が隣接する第１柱型枠５１の上記他側縁に当接している。したがって、第２柱型枠５２によって隣接する第１柱型枠５１が固定される。
すなわち、本実施例においても、内部からセパレータによって各柱型枠を所定の間隔に保持することなく、各柱クランプ５５,５６のみによって外側から強固に柱型枠５１,５２が緊結されるのである。
【００４８】
尚、柱の３面の夫々に壁の一端が接続された壁付き柱用の柱型枠体も可能である。但し、その際には、一端部が図６における第１柱クランプ５５の上記一端部５５aと同じ構造を有する一方、他端部が第２柱クランプ５６の頭部５６aと同じ構造を有する柱クランプと、一端部が第１柱クランプ５５の上記他端部５５bと同じ構造を有する一方、他端部が第２柱クランプ５６の頭部５６aと同じ構造を有する柱クランプとを、第１柱クランプ５５に替えて用いればよい。
【００４９】
【発明の効果】
以上より明らかなように、請求項１に係る発明の柱型枠体は、筒状の柱型枠におけるスリットの両側縁から外方向に延在して壁型枠接合部を設け、この２つの壁型枠接合部の間をセパレータによって壁厚に相当する間隔に保持し、上記柱型枠の外周面に沿って柱クランプを配設して連結部材によって鎖状に連結し、柱クランプ連鎖における両端の柱クランプを接続部材によって上記壁型枠接合部を介して上記セパレータの両端に接続して上記柱型枠体を締結固定するので、上記筒状の柱型枠をその外側に配設された柱クランプのみによって強固に支保できる。
したがって、上記柱型枠内には、セパレータのような邪魔物が一切なく、筒状に先組みされた柱型枠を立設された柱鉄筋に容易に建て込むことができる。
【００５０】
さらに、上記筒状に先組みされた柱型枠には壁型枠接合部が設けられているので、予め先組みされた壁型枠体の一端を接合できる。
したがって、上記柱型枠体は壁型枠体の支保工としての機能をも有し、壁型枠体の施工に際して壁型枠体用の支保工を必要とはせず壁型枠体の施工を容易にする。
【００５１】
さらに、上記柱クランプ連鎖における両端の柱クランプには、上記連結部材が軸方向にスライド可能に挿通される貫通溝と、軸方向にスライドして連結相手の柱クランプを押し付けるスライド締結具とを有している。したがって、上記両端の柱クランプにおける上記連結部材からの長さを変更することができる。
【００５２】
また、請求項２に係る発明の柱型枠体は、上記柱型枠は四角筒を成しており、上記柱クランプを鎖状に連結する連結部材は各連結点を軸方向にスライド自在に成すと共に、上記柱クランプの端部に設けられたスライド緊結具によって、上記連結されている相手の柱クランプを軸方向に押し付けることによって上記柱型枠を緊結するので、上記四角筒状の柱型枠をその外側に配設された柱クランプのみによって強固に支保できる。
したがって、この発明によれば、四角筒状に先組みされた柱型枠を立設された柱鉄筋に容易に建て込むことができ、且つ、壁型枠体の支保工としての機能をも有する。
【００５３】
また、請求項３に係る発明の柱型枠体は、上記柱型枠の側面に上記壁型枠が取り付けられるスリットを複数設けたので、複数の壁の一端が接続されるＲＣ壁付き柱用の柱型枠をその外側に配設された柱クランプのみによって強固に支保できる。
したがって、この発明によれば、複数の壁が接続されるＲＣ壁付き柱用の柱型枠体を先組みして、立設された柱鉄筋に容易に建て込むことができる。
【００５４】
また、請求項４に係る発明の柱型枠体は、上記柱型枠の側面に形成されたスリットにおける狭い方の幅の箇所には上記壁型枠接合部が設けられる一方、広い方の幅の箇所には、その両側縁から外方向に延在して梁型枠体の一端が接合される梁型枠接合部が設けられるので、側面に梁と壁とが接続されるＲＣ壁付き柱用の柱型枠をその外側に配設された柱クランプのみによって強固に支保できる。
【図面の簡単な説明】
【図１】この発明の柱型枠体における横断面図である。
【図２】図１に示す柱型枠体の側面図である。
【図３】図１に示す柱型枠体の正面図である。
【図４】図１に示す柱型枠体および壁型枠体の建て込み手順を示す図である。
【図５】図４に続く建て込み手順を示す図である。
【図６】図１とは異なる柱型枠体における横断面図である。
【図７】従来のＲＣ壁付き柱用の柱型枠体の断面図である。
【図８】ＲＣ柱単体用の柱型枠体の外観図である。
【符号の説明】
２０,５０…柱型枠体、             ２１,５１…第１柱型枠、
２２,５２…第２柱型枠、           ２３,５３…壁型枠接合部、
２５,５５…第１柱クランプ、       ２６,５６…第２柱クランプ、
２７…第３柱クランプ、
２８,２９,３０,５７,５８…スライド緊結具、
３１,３２,５９,６０…ピン、       ３６,６４…セパレータ、
４１…柱鉄筋、                    ４３…壁型枠、
４４…壁メッシュ筋、              ４５…壁返し型枠。
【図１】
0003581184.tif 000002
【図２】
0003581184.tif 000003
【図３】
0003581184.tif 000004
【図４】
0003581184.tif 000005
【図５】
0003581184.tif 000006
【図６】
0003581184.tif 000007
【図７】
0003581184.tif 000008
【図８】
0003581184.tif 000009